(57)【要約】【課題】  特定セル用無線基地局の更新対象を安全かつ簡易に更新することを可能とする移動通信システム、オペレーション装置及び移動通信方法を提供する。【解決手段】  特定セル用無線基地局２０は、セキュリティが確保されたコネクションを介して、更新対象の識別情報を少なくとも含む更新要求をオペレーション装置３０に送信する。オペレーション装置３０は、更新要求に応じて、セキュリティが確保されたコネクションを介して、更新情報を特定セル用無線基地局２０に提供する。【選択図】  図９
2011160139.tif 000002
【特許請求の範囲】
【請求項１】
通信事業者が管理していない非管理ネットワークと、通信事業者が管理する管理ネットワークと、前記管理ネットワークに設けられるセキュリティゲートウェイ装置と、オペレーション装置と、前記非管理ネットワークに設けられる特定セルを管理する特定セル用無線基地局とを備える移動通信システムであって、
前記特定セル用無線基地局及び前記セキュリティゲートウェイ装置は、前記特定セル用無線基地局及び前記セキュリティゲートウェイ装置の双方が正規であると認証された場合に、前記特定セル用無線基地局と前記セキュリティゲートウェイ装置との間に、セキュリティが確保されたコネクションを設定するように構成されており、
前記特定セル用無線基地局は、前記セキュリティが確保されたコネクションを介して、前記特定セル用無線基地局に設けられる更新対象の識別情報を少なくとも含む更新要求を前記オペレーション装置に送信するように構成された送信部と、前記更新対象を更新するための更新情報に基づいて、前記特定セル用無線基地局に設けられる更新対象を更新するように構成された更新部とを有しており、
前記オペレーション装置は、前記更新要求に含まれる前記更新対象の識別情報に基づいて、前記更新対象を更新するための更新情報を取得する取得部と、前記セキュリティが確保されたコネクションを介して、前記更新情報を前記特定セル用無線基地局に提供する提供部とを有することを特徴とする移動通信システム。
【請求項２】
前記更新要求は、前記更新対象の識別情報に加えて、前記特定セル用無線基地局の識別情報をさらに含み、
前記取得部は、前記更新対象の識別情報及び前記特定セル用無線基地局の識別情報に基づいて、前記更新対象を更新するための前記更新情報を取得することを特徴とする請求項１に記載の移動通信システム。
【請求項３】
前記更新要求は、前記更新対象の識別情報に加えて、前記特定セル用無線基地局の設置場所を識別可能に構成された設置場所識別情報をさらに含み、
前記取得部は、前記更新対象の識別情報及び前記設置場所識別情報に基づいて、前記更新対象を更新するための前記更新情報を取得することを特徴とする請求項１に記載の移動通信システム。
【請求項４】
前記更新要求は、前記更新対象の識別情報に加えて、前記特定セル用無線基地局の所有者を識別可能に構成された所有者識別情報をさらに含み、
前記取得部は、前記更新対象の識別情報及び前記所有者識別情報に基づいて、前記更新対象を更新するための前記更新情報を取得することを特徴とする請求項１に記載の移動通信システム。
【請求項５】
前記更新要求は、前記更新対象の識別情報に加えて、前記特定セル用無線基地局によって提供されるサービス属性を識別可能に構成されたサービス属性識別情報をさらに含み、
前記取得部は、前記更新対象の識別情報及び前記サービス属性識別情報に基づいて、前記更新対象を更新するための前記更新情報を取得することを特徴とする請求項１に記載の移動通信システム。
【請求項６】
前記更新部は、前記特定セルにおけるトラフィック量が所定閾値以下である場合に、前記更新情報に基づいて、前記更新対象を更新することを特徴とする請求項１に記載の移動通信システム。
【請求項７】
通信事業者が管理していない非管理ネットワークと、通信事業者が管理する管理ネットワークと、前記非管理ネットワークに設けられる特定セルを管理する特定セル用無線基地局とを備えており、前記特定セル用無線基地局及び前記セキュリティゲートウェイ装置は、前記特定セル用無線基地局及び前記セキュリティゲートウェイ装置の双方が正規であると認証された場合に、前記特定セル用無線基地局と前記セキュリティゲートウェイ装置との間に、セキュリティが確保されたコネクションを設定するように構成される移動通信システムにおいて、前記特定セル用無線基地局に情報を提供するように構成されたオペレーション装置であって、
前記セキュリティが確保されたコネクションを介して、前記特定セル用無線基地局に設けられる更新対象の識別情報を少なくとも含む更新要求を前記特定セル用無線基地局から受信するように構成された受信部と、
前記更新要求に含まれる前記更新対象の識別情報に基づいて、前記更新対象を更新するための更新情報を取得する取得部と、
前記セキュリティが確保されたコネクションを介して、前記更新情報を前記特定セル用無線基地局に提供する提供部とを備えることを特徴とするオペレーション装置。
【請求項８】
通信事業者が管理していない非管理ネットワークと、通信事業者が管理する管理ネットワークと、前記管理ネットワークに設けられるセキュリティゲートウェイ装置と、オペレーション装置と、前記非管理ネットワークに設けられる特定セルを管理する特定セル用無線基地局とを備える移動通信システムに適用される移動通信方法であって、
前記特定セル用無線基地局及び前記セキュリティゲートウェイ装置が、前記特定セル用無線基地局及び前記セキュリティゲートウェイ装置の双方が正規であると認証された場合に、前記特定セル用無線基地局と前記セキュリティゲートウェイ装置との間に、セキュリティが確保されたコネクションを設定するステップと、
前記特定セル用無線基地局が、前記セキュリティが確保されたコネクションを介して、前記特定セル用無線基地局に設けられる更新対象の識別情報を少なくとも含む更新要求を前記セキュリティゲートウェイ装置に送信するステップと、
前記オペレーション装置が、前記更新要求に含まれる前記更新対象の識別情報に基づいて、前記更新対象を更新するための更新情報を取得するステップと、
前記オペレーション装置が、前記セキュリティが確保されたコネクションを介して、前記更新情報を前記特定セル用無線基地局に提供するステップと、
前記特定セル用無線基地局が、前記更新対象を更新するための更新情報に基づいて、前記特定セル用無線基地局の更新対象を更新するステップとを備えることを特徴とする移動通信方法。
【発明の詳細な説明】
【技術分野】
【０００１】
本発明は、非管理ネットワークに設けられる特定セルを管理する特定セル用無線基地局を備える移動通信システム、移動通信システムで用いられるオペレーション装置及び移動通信方法に関する。
【背景技術】
【０００２】
一般的に、ネットワーク管理者は、不規則に発生する移動通信端末からの接続要求に対応するために、マクロセルを管理する無線基地局（以下、マクロセル用無線基地局）の保守及び運用を行っている。
【０００３】
例えば、ネットワーク管理者は、以下のような手順で、マクロセル用無線基地局の更新対象（ファームウェアや構成データなど）の更新を行っている。
【０００４】
（１）ネットワーク管理者は、オペレーション装置を用いて、マクロセル用無線基地局に対して、更新対象を更新するための更新情報（最新のファームウェアや構成データなど）を送信する。
【０００５】
（２）ネットワーク管理者は、マクロセルのトラヒックが閑散とした時間帯において、マクロセル用無線基地局の再起動処理をリモートコントロールで行うことによって、更新情報をマクロセル用無線基地局に反映する。
【０００６】
すなわち、ネットワーク管理者は、マクロセル用無線基地局の運用を開始した後は、手動で、マクロセル用無線基地局に対して、更新情報を反映させている。
【０００７】
また、近年、ＣＳＧ（Ｃｌｏｓｅｄ  Ｓｕｂｓｃｒｉｂｅｒ  Ｇｒｏｕｐ）セル、ホームセル又はフェムトセルなどと称される特定セルが知られている（例えば、非特許文献１）。このような特定セルを管理する特定セル用無線基地局についても、マクロセル用無線基地局と同様の手順によって、更新情報の更新が行われると予想される。
【先行技術文献】
【非特許文献】
【０００８】
【非特許文献１】３ＧＰＰ  ＴＳＧ  ＲＡＮ  ＃３５  ＲＰ−０７０２０９  Ｌｅｍｅｓｏｓ、Ｃｙｐｒｕｓ、２００７年３月６−９日、ｈｔｔｐ：／／ｗｗｗ．３ｇｐｐ．ｏｒｇ／ｆｔｐ／ｔｓｇ＿ｒａｎ／ＴＳＧ＿ＲＡＮ／ＴＳＧＲ＿３５／Ｄｏｃｓ／）
【発明の概要】
【発明が解決しようとする課題】
【０００９】
ここで、特定セル用無線基地局は、ユーザが設置する無線基地局であるため、以下に示す懸念が存在する。
【００１０】
（１）  不正な特定セル用無線基地局のなりすまし、或いは、不正な通信事業者のなりすまし
（２）  通信事業者が管理していない経路上におけるデータの改竄又は盗聴
（３）  ユーザが手動で更新情報を反映する作業の煩雑化
（４）  特定セル用無線基地局が提供するサービスに応じた更新情報を特定して、特定された更新情報を特定セル用無線基地局に送信する処理の煩雑化
そこで、本発明は、上述した課題を解決するためになされたものであり、特定セル用無線基地局の更新対象を安全かつ簡易に更新することを可能とする移動通信システム、オペレーション装置及び移動通信方法を提供することを目的とする。
【課題を解決するための手段】
【００１１】
第１の特徴に係る移動通信システムは、通信事業者が管理していない非管理ネットワークと、通信事業者が管理する管理ネットワークと、前記管理ネットワークに設けられるセキュリティゲートウェイ装置と、オペレーション装置と、前記非管理ネットワークに設けられる特定セルを管理する特定セル用無線基地局とを備える。前記特定セル用無線基地局及び前記セキュリティゲートウェイ装置は、前記特定セル用無線基地局及び前記セキュリティゲートウェイ装置の双方が正規であると認証された場合に、前記特定セル用無線基地局と前記セキュリティゲートウェイ装置との間に、セキュリティが確保されたコネクションを設定するように構成されている。前記特定セル用無線基地局は、前記セキュリティが確保されたコネクションを介して、前記特定セル用無線基地局に設けられる更新対象の識別情報を少なくとも含む更新要求を前記オペレーション装置に送信するように構成された送信部と、前記更新対象を更新するための更新情報に基づいて、前記特定セル用無線基地局に設けられる更新対象を更新するように構成された更新部とを有する。前記オペレーション装置は、前記更新要求に含まれる前記更新対象の識別情報に基づいて、前記更新対象を更新するための更新情報を取得する取得部と、前記セキュリティが確保されたコネクションを介して、前記更新情報を前記特定セル用無線基地局に提供する提供部とを有する。
【００１２】
第１の特徴において、前記更新要求は、前記更新対象の識別情報に加えて、前記特定セル用無線基地局の識別情報をさらに含む。前記取得部は、前記更新対象の識別情報及び前記特定セル用無線基地局の識別情報に基づいて、前記更新対象を更新するための前記更新情報を取得する。
【００１３】
第１の特徴において、前記更新要求は、前記更新対象の識別情報に加えて、前記特定セル用無線基地局の設置場所を識別可能に構成された設置場所識別情報をさらに含む。前記取得部は、前記更新対象の識別情報及び前記設置場所識別情報に基づいて、前記更新対象を更新するための前記更新情報を取得する。
【００１４】
第１の特徴において、前記更新要求は、前記更新対象の識別情報に加えて、前記特定セル用無線基地局の所有者を識別可能に構成された所有者識別情報をさらに含む。前記取得部は、前記更新対象の識別情報及び前記所有者識別情報に基づいて、前記更新対象を更新するための前記更新情報を取得する。
【００１５】
第１の特徴において、前記更新要求は、前記更新対象の識別情報に加えて、前記特定セル用無線基地局によって提供されるサービス属性を識別可能に構成されたサービス属性識別情報をさらに含む。前記取得部は、前記更新対象の識別情報及び前記サービス属性識別情報に基づいて、前記更新対象を更新するための前記更新情報を取得する。
【００１６】
第１の特徴において、前記更新部は、前記特定セルにおけるトラフィック量が所定閾値以下である場合に、前記更新情報に基づいて、前記更新対象を更新する。
【００１７】
第２の特徴に係るオペレーション装置は、通信事業者が管理していない非管理ネットワークと、通信事業者が管理する管理ネットワークと、前記非管理ネットワークに設けられる特定セルを管理する特定セル用無線基地局とを備える移動通信システムにおいて、特定セル用無線基地局に情報を提供するように構成される。前記特定セル用無線基地局及び前記セキュリティゲートウェイ装置は、前記特定セル用無線基地局及び前記セキュリティゲートウェイ装置の双方が正規であると認証された場合に、前記特定セル用無線基地局と前記セキュリティゲートウェイ装置との間に、セキュリティが確保されたコネクションを設定するように構成される。オペレーション装置は、前記セキュリティが確保されたコネクションを介して、前記特定セル用無線基地局に設けられる更新対象の識別情報を少なくとも含む更新要求を前記特定セル用無線基地局から受信するように構成された受信部と、前記更新要求に含まれる前記更新対象の識別情報に基づいて、前記更新対象を更新するための更新情報を取得する取得部と、前記セキュリティが確保されたコネクションを介して、前記更新情報を前記特定セル用無線基地局に提供する提供部とを備える。
【００１８】
第３の特徴に係る移動通信方法は、通信事業者が管理していない非管理ネットワークと、通信事業者が管理する管理ネットワークと、前記管理ネットワークに設けられるセキュリティゲートウェイ装置と、オペレーション装置と、前記非管理ネットワークに設けられる特定セルを管理する特定セル用無線基地局とを備える移動通信システムに適用される。移動通信方法は、前記特定セル用無線基地局及び前記セキュリティゲートウェイ装置が、前記特定セル用無線基地局及び前記セキュリティゲートウェイ装置の双方が正規であると認証された場合に、前記特定セル用無線基地局と前記セキュリティゲートウェイ装置との間に、セキュリティが確保されたコネクションを設定するステップと、前記特定セル用無線基地局が、前記セキュリティが確保されたコネクションを介して、前記特定セル用無線基地局に設けられる更新対象の識別情報を少なくとも含む更新要求を前記セキュリティゲートウェイ装置に送信するステップと、前記オペレーション装置が、前記更新要求に含まれる前記更新対象の識別情報に基づいて、前記更新対象を更新するための更新情報を取得するステップと、前記オペレーション装置が、前記セキュリティが確保されたコネクションを介して、前記更新情報を前記特定セル用無線基地局に提供するステップと、前記特定セル用無線基地局が、前記更新対象を更新するための更新情報に基づいて、前記特定セル用無線基地局に設けられる更新対象を更新するステップとを備える。
【発明の効果】
【００１９】
本発明によれば、特定セル用無線基地局の更新対象を安全かつ簡易に更新することを可能とする移動通信システム、オペレーション装置及び移動通信方法を提供することができる。
【図面の簡単な説明】
【００２０】
【図１】第１実施形態に係る移動通信システム１００を示す図である。
【図２】第１実施形態に係る特定セル用無線基地局２０を示す図である。
【図３】第１実施形態に係るオペレーション装置３０を示す図である。
【図４】第１実施形態に係る記憶部３２に記憶される情報の一例を示す図である。
【図５】第１実施形態に係る記憶部３２に記憶される情報の一例を示す図である。
【図６】第１実施形態に係る記憶部３２に記憶される情報の一例を示す図である。
【図７】第１実施形態に係る記憶部３２に記憶される情報の一例を示す図である。
【図８】第１実施形態に係る記憶部３２に記憶される情報の一例を示す図である。
【図９】第１実施形態に係る移動通信システム１００の動作を示すシーケンス図である。
【図１０】変更例１に係る移動通信システム１００を示す図である。
【発明を実施するための形態】
【００２１】
以下において、本発明の実施形態に係る移動通信システムについて、図面を参照しながら説明する。なお、以下の図面の記載において、同一又は類似の部分には、同一又は類似の符号を付している。
【００２２】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２３】
［実施形態の概要］
実施形態に係る移動通信システムは、通信事業者が管理していない非管理ネットワークと、通信事業者が管理する管理ネットワークと、管理ネットワークに設けられるセキュリティゲートウェイ装置と、オペレーション装置と、非管理ネットワークに設けられる特定セルを管理する特定セル用無線基地局とを備える。特定セル用無線基地局及びセキュリティゲートウェイ装置は、特定セル用無線基地局及びセキュリティゲートウェイ装置の双方が正規であると認証された場合に、特定セル用無線基地局とセキュリティゲートウェイ装置との間に、セキュリティが確保されたコネクションを設定するように構成されている。特定セル用無線基地局は、セキュリティが確保されたコネクションを介して、特定セル用無線基地局に設けられる更新対象の識別情報を少なくとも含む更新要求をオペレーション装置に送信するように構成された送信部と、更新対象を更新するための更新情報に基づいて、特定セル用無線基地局に設けられる更新対象を更新するように構成された更新部とを有する。オペレーション装置は、更新要求に含まれる更新対象の識別情報に基づいて、更新対象を更新するための更新情報を取得する取得部と、セキュリティが確保されたコネクションを介して、更新情報を特定セル用無線基地局に提供する提供部とを有する。
【００２４】
実施形態では、特定セル用無線基地局は、セキュリティが確保されたコネクションを介して、更新対象の識別情報を少なくとも含む更新要求をオペレーション装置に送信する。オペレーション装置は、更新要求に応じて、セキュリティが確保されたコネクションを介して、更新情報を特定セル用無線基地局に提供する。
【００２５】
従って、通信事業者が管理していない非管理ネットワークに特定セル用無線基地局が設けられる場合であっても、特定セル用無線基地局の更新対象を安全かつ簡易に更新することができる。
【００２６】
なお、実施形態において、特定セルは、小規模かつ大規模に配備されるセルであることが好ましい。特定セルは、ＨＮＢ（Ｈｏｍｅ  Ｎｏｄｅ  Ｂ）、ＨｅＮＢ（Ｈｏｍｅ  Ｅｖｏｌｖｅｄ  Ｎｏｄｅ  Ｂ）、フェムトＢＴＳなどによって管理されるセルであることが好ましい。すなわち、特定セル用無線基地局は、ＨＮＢ、ＨｅＮＢ、フェムトＢＴＳなどである。
【００２７】
［第１実施形態］
（移動通信システムの構成）
以下において、第１実施形態に係る移動通信システムの構成について、図面を参照しながら説明する。図１は、第１実施形態に係る移動通信システム１００を示す図である。
【００２８】
図１に示すように、移動通信システム１００は、通信端末装置１０（以下、ＵＥ１０）と、コアネットワーク５０とを含む。また、移動通信システム１００は、第１通信システムと第２通信システムとを含む。さらに、移動通信システム１００は、アクセスノード３１０とアクセスノード４１０とを含む。
【００２９】
第１通信システムは、例えば、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）に対応する通信システムである。第１通信システムは、基地局１１０Ａ（以下、ＮＢ１１０Ａ）と、ホーム基地局１１０Ｂ（以下、ＨＮＢ１１０Ｂ）と、ＲＮＣ１２０Ａと、ホーム基地局ゲートウェイ１２０Ｂ（以下、ＨＮＢ−ＧＷ１２０Ｂ）と、ＳＧＳＮ１３０とを有する。
【００３０】
なお、第１通信システムに対応する無線アクセスネットワーク（ＵＴＲＡＮ；Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）は、ＮＢ１１０Ａ、ＨＮＢ１１０Ｂ、ＲＮＣ１２０Ａ、ＨＮＢ−ＧＷ１２０Ｂによって構成される。
【００３１】
第２通信システムは、例えば、ＬＴＥ（Ｌｏｎｇ  Ｔｅｒｍ  Ｅｖｏｌｕｔｉｏｎ）に対応する通信システムである。第２通信システムは、例えば、基地局２１０Ａ（以下、ｅＮＢ２１０Ａ）と、ホーム基地局２１０Ｂ（以下、ＨｅＮＢ２１０Ｂ）と、ホーム基地局ゲートウェイ２２０Ｂ（以下、ＨｅＮＢ−ＧＷ２２０Ｂ）と、ＭＭＥ２３０とを有する。
【００３２】
なお、第２通信システムに対応する無線アクセスネットワーク（Ｅ−ＵＴＲＡＮ；Ｅｖｏｌｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）は、ｅＮＢ２１０Ａ、ＨｅＮＢ２１０Ｂ及びＨｅＮＢ−ＧＷ２２０Ｂによって構成される。
【００３３】
第１実施形態では、ＨＮＢ１１０Ｂ及びアクセスノード３１０は、ユーザＮＷ（Ｎｅｔｗｏｒｋ）によって接続される。同様に、ＨｅＮＢ２１０Ｂ及びアクセスノード４１０は、ユーザＮＷ（Ｎｅｔｗｏｒｋ）によって接続される。また、アクセスノード３１０及びＨＮＢ−ＧＷ１２０Ｂは、固定回線事業者ＮＷ（Ｎｅｔｗｏｒｋ）によって接続される。同様に、アクセスノード４１０及びＨｅＮＢ−ＧＷ２２０Ｂは、固定回線事業者ＮＷ（Ｎｅｔｗｏｒｋ）によって接続される。さらに、ＮＢ１１０Ａ、ＲＮＣ１２０Ａ、ＨＮＢ−ＧＷ１２０Ｂ、ＳＧＳＮ１３０、ｅＮＢ２１０Ａ、ＨｅＮＢ−ＧＷ２２０Ｂ及びＭＭＥ２３０は、移動通信事業者ＮＷ（Ｎｅｔｗｏｒｋ）によって接続される。
【００３４】
なお、ユーザＮＷは、ＨＮＢ１１０Ｂ又はＨｅＮＢ２１０Ｂを設置したユーザが任意に構成するネットワーク（ＬＡＮなど）である。固定回線事業者ＮＷは、ＨＮＢ１１０Ｂ又はＨｅＮＢ２１０Ｂを設置したユーザが契約する固定回線事業者によって管理されるネットワーク（ＦＴＴＨやＡＤＳＬなど）である。移動通信事業者ＮＷは、通信事業者によって管理されるネットワークである。
【００３５】
すなわち、ユーザＮＷ及び固定回線事業者ＮＷは、通信事業者が管理していない非管理ネットワークである。移動通信事業者ＮＷは、通信事業者が管理する管理ネットワークである。
【００３６】
ＵＥ１０は、第１通信システム或いは第２通信システムと通信を行うように構成された装置（Ｕｓｅｒ  Ｅｑｕｉｐｍｅｎｔ）である。例えば、ＵＥ１０は、ＮＢ１１０Ａ及びＨＮＢ１１０Ｂと無線通信を行う機能を有する。或いは、ＵＥ１０は、ｅＮＢ２１０Ａ及びＨｅＮＢ２１０Ｂと無線通信を行う機能を有する。
【００３７】
ＮＢ１１０Ａは、マクロセル１１１Ａを有しており、マクロセル１１１Ａに存在するＵＥ１０と無線通信を行う装置（ＮｏｄｅＢ）である。
【００３８】
ＨＮＢ１１０Ｂは、特定セル１１１Ｂを有しており、特定セル１１１Ｂに存在するＵＥ１０と無線通信を行う装置（Ｈｏｍｅ  ＮｏｄｅＢ）である。例えば、ＨＮＢ１１０Ｂは、ＨＮＢ−ＧＷ１２０Ｂが正規であることを認証する機能を有する。
【００３９】
ＲＮＣ１２０Ａは、ＮＢ１１０Ａに接続されており、マクロセル１１１Ａに存在するＵＥ１０と無線接続（ＲＲＣ  Ｃｏｎｎｅｃｔｉｏｎ）を設定する装置（Ｒａｄｉｏ  Ｎｅｔｗｏｒｋ  Ｃｏｎｔｒｏｌｌｅｒ）である。
【００４０】
ＨＮＢ−ＧＷ１２０Ｂは、アクセスノード３１０を介してＨＮＢ１１０Ｂに接続されており、特定セル１１１Ｂに存在するＵＥ１０と無線接続（ＲＲＣ  Ｃｏｎｎｅｃｔｉｏｎ）を設定する装置（Ｈｏｍｅ  ＮｏｄｅＢ  Ｇａｔｅｗａｙ）である。また、ＨＮＢ−ＧＷ１２０Ｂは、移動通信事業者ＮＷを他のＮＷから保護するためのセキュリティゲートウェイ（セキュリティゲートウェイ装置）として機能する。例えば、ＨＮＢ−ＧＷ１２０Ｂは、ＨＮＢ１１０Ｂが正規であることを認証する機能を有する。
【００４１】
第１実施形態では、ＨＮＢ１１０Ｂ及びＨＮＢ−ＧＷ１２０Ｂは、ＨＮＢ１１０Ｂ及びＨＮＢ−ＧＷ１２０Ｂの双方が正規であると認証された場合に、ＨＮＢ１１０ＢとＨＮＢ−ＧＷ１２０Ｂとの間に、セキュリティが確保されたコネクション（例えば、ＶＰＮコネクション；Ｖｉｒｔｕａｌ  Ｐｒｉｖａｔｅ  Ｎｅｔｗｏｒｋ  Ｃｏｎｎｅｃｔｉｏｎ）を設定する。
【００４２】
ＳＧＳＮ１３０は、パケット交換ドメインにおいてパケット交換を行う装置（Ｓｅｒｖｉｎｇ  ＧＰＲＳ  Ｓｕｐｐｏｒｔ  Ｎｏｄｅ）である。ＳＧＳＮ１３０は、コアネットワーク５０に設けられる。図１では省略しているが、回線交換ドメインにおいて回線交換を行う装置（ＭＳＣ；Ｍｏｂｉｌｅ  Ｓｗｉｔｃｈｉｎｇ  Ｃｅｎｔｅｒ）がコアネットワーク５０に設けられていてもよい。
【００４３】
ｅＮＢ２１０Ａは、マクロセル２１１Ａを有しており、マクロセル２１１Ａに存在するＵＥ１０と無線通信を行う装置（ｅｖｏｌｖｅｄ  ＮｏｄｅＢ）である。
【００４４】
ＨｅＮＢ２１０Ｂは、特定セル２１１Ｂを有しており、特定セル２１１Ｂに存在するＵＥ１０と無線通信を行う装置（Ｈｏｍｅ  ｅｖｏｌｖｅｄ  ＮｏｄｅＢ）である。例えば、ＨｅＮＢ２１０Ｂは、ＨｅＮＢ−ＧＷ２２０Ｂが正規であることを認証する機能を有する。
【００４５】
ＨｅＮＢ−ＧＷ２２０Ｂは、アクセスノード４１０を介してＨｅＮＢ２１０Ｂに接続されており、ＨｅＮＢ２１０Ｂを管理する装置（Ｈｏｍｅ  ｅｖｏｌｖｅｄ  ＮｏｄｅＢ  Ｇａｔｅｗａｙ）である。また、ＨｅＮＢ−ＧＷ２２０Ｂは、移動通信事業者ＮＷを他のＮＷから保護するためのセキュリティゲートウェイ（セキュリティゲートウェイ装置）として機能する。例えば、ＨｅＮＢ−ＧＷ２２０Ｂは、ＨｅＮＢ２１０Ｂが正規であることを認証する機能を有する。
【００４６】
第１実施形態では、ＨｅＮＢ２１０Ｂ及びＨｅＮＢ−ＧＷ２２０Ｂは、ＨｅＮＢ２１０Ｂ及びＨｅＮＢ−ＧＷ２２０Ｂの双方が正規であると認証された場合に、ＨｅＮＢ２１０ＢとＨｅＮＢ−ＧＷ２２０Ｂとの間に、セキュリティが確保されたコネクション（例えば、ＶＰＮコネクション；Ｖｉｒｔｕａｌ  Ｐｒｉｖａｔｅ  Ｎｅｔｗｏｒｋ  Ｃｏｎｎｅｃｔｉｏｎ）を設定する。
【００４７】
ＭＭＥ２３０は、ｅＮＢ２１０Ａと接続されており、ｅＮＢ２１０Ａと無線接続を設定しているＵＥ１０の移動性を管理する装置（Ｍｏｂｉｌｉｔｙ  Ｍａｎａｇｅｍｅｎｔ  Ｅｎｔｉｔｙ）である。また、ＭＭＥ２３０は、ＨｅＮＢ−ＧＷ２２０Ｂを介してＨｅＮＢ２１０Ｂと接続されており、ＨｅＮＢ２１０Ｂと無線接続を設定しているＵＥ１０の移動性を管理する装置である。
【００４８】
アクセスノード３１０は、ＨＮＢ１１０Ｂに接続されており、ＨＮＢ１１０Ｂを設置したユーザが契約する固定回線事業者によって提供される接続情報をＨＮＢ１１０Ｂに提供する。具体的には、アクセスノード３１０は、ＨＮＢ１１０Ｂから受信する認証情報に応じて、ＨＮＢ１１０Ｂが正規であることを認証する。続いて、アクセスノード３１０は、接続情報をＨＮＢ１１０Ｂに送信する。
【００４９】
例えば、アクセスノード３１０は、ＰＰＰｏＥ（Ｐｏｉｎｔ−ｔｏ−Ｐｏｉｎｔ  ｏｖｅｒ  Ｅｔｈｅｒｎｅｔ（登録商標））の終端装置（ＢＡＳ；Ｂｒｏａｄｂａｎｄ  Ａｃｃｅｓｓ  Ｓｅｒｖｅｒ）である。認証情報は、ＨＮＢ１１０Ｂの認証に必要なＩＤやパスワードである。接続情報は、ＨＮＢ１１０Ｂに割り当てるＩＰアドレスなどである。
【００５０】
アクセスノード４１０は、ＨｅＮＢ２１０Ｂに接続されており、ＨｅＮＢ２１０Ｂを設置したユーザが契約する固定回線事業者によって提供される接続情報をＨｅＮＢ２１０Ｂに提供する。具体的には、アクセスノード４１０は、ＨｅＮＢ２１０Ｂから受信する認証情報に応じて、ＨｅＮＢ２１０Ｂが正規であることを認証する。続いて、アクセスノード４１０は、接続情報をＨｅＮＢ２１０Ｂに送信する。
【００５１】
例えば、アクセスノード４１０は、ＰＰＰｏＥ（Ｐｏｉｎｔ−ｔｏ−Ｐｏｉｎｔ  ｏｖｅｒ  Ｅｔｈｅｒｎｅｔ（登録商標））の終端装置（ＢＡＳ；Ｂｒｏａｄｂａｎｄ  Ａｃｃｅｓｓ  Ｓｅｒｖｅｒ）である。認証情報は、ＨｅＮＢ２１０Ｂの認証に必要なＩＤやパスワードである。接続情報は、ＨｅＮＢ２１０Ｂに割り当てるＩＰアドレスなどである。
【００５２】
実施形態では、マクロセル及び特定セルは、ＵＥ１０と無線通信を行う機能として理解すべきである。但し、マクロセル及び特定セルは、セルのサービスエリアを示す用語としても用いられる。また、マクロセル及び特定セルなどのセルは、セルで用いられる周波数、拡散コード又はタイムスロットなどによって識別される。
【００５３】
特定セルは、フェムトセル、ＣＳＧ（Ｃｌｏｓｅｄ  Ｓｕｂｓｃｒｉｂｅｒ  Ｇｒｏｕｐ）セル、ホームセルなどと称されることもある。また、特定セルは、特定セルにアクセス可能なＵＥ１０を規定するアクセス種別が設定可能に構成されている。アクセス種別は、「Ｃｌｏｓｅｄ」、「Ｈｙｂｒｉｄ」又は「Ｏｐｅｎ」である。
【００５４】
「Ｃｌｏｓｅｄ」の特定セルは、特定セルによって管理される特定ユーザに対するサービスの提供のみが許可されるように構成される。
【００５５】
「Ｈｙｂｒｉｄ」の特定セルは、例えば、特定セルによって管理される特定ユーザに対して高品質の通信が許可されるように構成されており、特定セルによって管理されていない非特定ユーザに対してベストエフォート品質の通信が許可されるように構成される。
【００５６】
「Ｏｐｅｎ」の特定セルは、マクロセルと同様に、全てのＵＥ１０に対するサービスの提供が許可されるように構成される。なお、「Ｏｐｅｎ」のセルでは、特定セルによって管理されている否かによって、ＵＥ１０間の通信品質の差異が区別されない。
【００５７】
なお、アクセス種別は、アクセスクラス毎にＵＥ１０のアクセスを禁止する「ＡＣＣＥＳＳ  ＣＬＡＳＳ  ＢＡＲＲＥＤ」、セル毎にＵＥ１０のアクセスを禁止する「ＣＥＬＬ  ＢＡＲＲＥＤ」であってもよい。
【００５８】
（特定セル用無線基地局の構成）
以下において、第１実施形態に係る特定セル用無線基地局の構成について、図面を参照しながら説明する。図２は、第１実施形態に係る特定セル用無線基地局２０を示す図である。特定セル用無線基地局２０は、特定セルを管理する無線基地局であり、ＨＮＢ１１０Ｂ又はＨｅＮＢ２１０Ｂである。
【００５９】
図２に示すように、特定セル用無線基地局２０は、通信部２１と、記憶部２２と、更新部２３とを有する。
【００６０】
通信部２１は、ＵＥ１０と通信を行う。また、通信部２１は、固定回線事業者によって管理されるアクセスノード（例えば、アクセスノード３１０又はアクセスノード４１０）、通信事業者によって管理されるセキュリティゲートウェイ装置（例えば、ＨＮＢ−ＧＷ１２０Ｂ又はＨｅＮＢ−ＧＷ２２０Ｂ）と通信を行う。さらに、通信部２１は、後述するオペレーション装置３０と通信を行う。
【００６１】
具体的には、通信部２１は、アクセスノードが特定セル用無線基地局２０を認証するための認証情報（例えば、ＩＤやパスワード）をアクセスノードに送信する。通信部２１は、接続情報（例えば、ＩＰアドレス）をアクセスノードから受信する。
【００６２】
また、通信部２１は、セキュリティゲートウェイ装置が特定セル用無線基地局２０を認証するための認証情報（例えば、プリシェアードキー）をセキュリティゲートウェイ装置に送信する。通信部２１は、特定セル用無線基地局２０がセキュリティゲートウェイ装置を認証するための認証情報（例えば、プリシェアードキー）をセキュリティゲートウェイ装置から受信する。
【００６３】
さらに、通信部２１は、セキュリティが確保されたコネクション（例えば、ＶＰＮコネクション）を介して、更新対象の更新を要求する更新要求をオペレーション装置３０に送信する。通信部２１は、セキュリティが確保されたコネクション（例えば、ＶＰＮコネクション）を介して、更新対象を更新するための更新情報をオペレーション装置３０から受信する。
【００６４】
ここで、更新要求は、少なくとも更新対象の識別情報を含む。更新対象の識別情報は、更新対象の種別、更新対象のバージョンなどを識別する情報である。また、更新要求は、更新対象の識別情報に加えて、以下の情報を含んでもよい。
【００６５】
（１）特定セル用無線基地局２０の識別情報
特定セル用無線基地局２０の識別情報は、特定セル用無線基地局２０によって管理される特定セルを識別する識別情報（例えば、ＣＳＧ  ＩＤ）であってもよい。
【００６６】
（２）特定セル用無線基地局２０の設置場所を識別可能に構成された設置場所識別情報
設置場所識別情報は、例えば、特定セル用無線基地局２０に設けられるＧＰＳ機能によって取得される緯度／経度情報であってもよい。設置場所識別情報は、特定セル用無線基地局２０の周囲に設けられる無線基地局（特定セル用無線基地局又はマクロセル用無線基地局）の識別情報（セルＩＤなど）であってもよい。
【００６７】
（３）特定セル用無線基地局２０の所有者を識別可能に構成された所有者識別情報
所有者識別情報は、特定セル用無線基地局２０の所有者を識別するユーザＩＤ（ＩＭＳＩ；Ｉｎｔｅｒｎａｔｉｏｎａｌ  Ｍｏｂｉｌｅ  Ｓｕｂｓｃｒｉｂｅｒ  Ｉｄｅｎｔｉｔｙ）であってもよい。特定セル用無線基地局２０の所有者と特定セル用無線基地局２０の識別情報との対応関係がオペレーション装置３０で既知であれば、所有者識別情報は、特定セル用無線基地局２０の識別情報であってもよい。所有者識別情報は、特定セル用無線基地局２０の所有者の加入者情報を識別可能に構成されていてもよい。
【００６８】
（４）特定セル用無線基地局２０によって提供されるサービス属性を識別可能に構成されたサービス属性識別情報
サービス属性識別情報は、特定セル用無線基地局２０によって提供されるサービス属性（例えば、クーポン配信サービス、家電連携サービス）を識別する情報であってもよい。特定セル用無線基地局２０によって提供されるサービス属性と特定セル用無線基地局２０の識別情報との対応関係がオペレーション装置３０で既知であれば、所有者識別情報は、特定セル用無線基地局２０の識別情報であってもよい。
【００６９】
なお、通信部２１は、更新要求を定期的に送信してもよい。或いは、通信部２１は、オペレーション装置３０の指示に応じて、更新要求を送信してもよい。或いは、通信部２１は、ボタン操作などのユーザ操作に応じて、更新要求を送信してもよい。或いは、通信部２１は、予め定められた所定タイミングで更新要求を送信してもよい。
【００７０】
記憶部２２は、更新対象を保持する。更新対象は、例えば、特定セル用無線基地局２０にインストールされるソフトウェア、特定セル用無線基地局２０の構成データなどである。
【００７１】
更新部２３は、オペレーション装置から受信する更新情報に基づいて、記憶部２２に保持される更新対象を更新する。ここで、更新対象を更新するためには、特定セル用無線基地局２０の再起動が必要である場合もあることに留意すべきである。
【００７２】
更新部２３は、ボタン操作などのユーザ操作に応じて、更新対象を更新してもよい。或いは、更新部２３は、特定セルにおけるトラフィック量が所定閾値以下である場合に、更新対象を更新してもよい。或いは、更新部２３は、所定のタイミングで更新対象を更新してもよい。
【００７３】
（オペレーション装置の構成）
以下において、第１実施形態に係るオペレーション装置の構成について、図面を参照しながら説明する。図３は、第１実施形態に係るオペレーション装置３０を示す図である。オペレーション装置３０は、移動通信事業者ＮＷ（管理ネットワーク）に設けられることが好ましい。例えば、オペレーション装置３０は、ＲＮＣ１２０Ａ、ＨＮＢ−ＧＷ１２０Ｂ、ＳＧＳＮ１３０、ＨｅＮＢ−ＧＷ２２０Ｂ、ＭＭＥ２３０などであってもよい。
【００７４】
図３に示すように、オペレーション装置３０は、通信部３１と、記憶部３２と、取得部３３と、提供部３４とを有する。
【００７５】
通信部３１は、特定セル用無線基地局２０と通信を行う。例えば、通信部３１は、セキュリティが確保されたコネクション（例えば、ＶＰＮコネクション）を介して、更新対象の更新を要求する更新要求を特定セル用無線基地局２０から受信する。通信部３１は、セキュリティが確保されたコネクション（例えば、ＶＰＮコネクション）を介して、更新対象を更新するための更新情報を特定セル用無線基地局２０に送信する。
【００７６】
記憶部３２は、特定セル用無線基地局２０に設けられる更新対象を更新するための更新情報を記憶する。
【００７７】
具体的には、記憶部３２は、図４に示すように、更新対象の識別情報と関連付けて更新情報を記憶する。或いは、記憶部３２は、図５に示すように、更新対象の識別情報及び特定セル用無線基地局の識別情報と関連付けて更新情報を記憶する。或いは、記憶部３２は、図６に示すように、更新対象の識別情報及び設置場所識別情報と関連付けて更新情報を記憶する。或いは、記憶部３２は、図７に示すように、更新対象の識別情報及び所有者識別情報と関連付けて更新情報を記憶する。或いは、記憶部３２は、図８に示すように、更新対象の識別情報及びサービス属性識別情報と関連付けて更新情報を記憶する。
【００７８】
取得部３３は、特定セル用無線基地局２０から受信する更新要求に含まれる更新対象の識別情報に基づいて、特定セル用無線基地局２０に設けられる更新対象を更新するための更新情報を取得する。
【００７９】
具体的には、取得部３３は、図４に示す情報を参照して、更新要求に含まれる更新対象の識別情報と関連付けられた更新情報を取得する。或いは、取得部３３は、図５に示す情報を参照して、更新要求に含まれる更新対象の識別情報及び特定セル用無線基地局の識別情報と関連付けられた更新情報を取得する。或いは、取得部３３は、図６に示す情報を参照して、更新要求に含まれる更新対象の識別情報及び設置場所識別情報と関連付けられた更新情報を取得する。或いは、取得部３３は、図７に示す情報を参照して、更新要求に含まれる更新対象の識別情報及び所有者識別情報と関連付けられた更新情報を取得する。或いは、取得部３３は、図８に示す情報を参照して、更新要求に含まれる更新対象の識別情報及びサービス属性識別情報と関連付けられた更新情報を取得する。
【００８０】
なお、取得部３３は、所有者識別情報に基づいて、特定セル用無線基地局２０の所有者の加入者情報をＨＬＲ（Ｈｏｍｅ  Ｌｏｃａｔｉｏｎ  Ｒｅｇｉｓｔｅｒ）などから取得してもよい。このようなケースでは、取得部３３は、更新対象の識別情報及び加入者情報に基づいて、特定セル用無線基地局２０に設けられる更新対象を更新するための更新情報を取得する。
【００８１】
提供部３４は、取得部３３によって取得された更新情報を特定セル用無線基地局２０に提供する。具体的には、提供部３４は、セキュリティが確保されたコネクションを介して、更新情報を特定セル用無線基地局２０に提供する。
【００８２】
なお、提供部３４は、更新対象の識別情報に基づいて、更新対象の更新要否を判定してもよい。例えば、提供部３４は、更新対象のバージョン情報に基づいて、更新対象が最新バージョンであるか否かを判定する。提供部３４は、更新対象が最新バージョンである場合には、更新情報を提供せずに、更新対象が最新バージョンである旨を特定セル用無線基地局２０に通知する。
【００８３】
また、更新対象の更新要否判定は、取得部３３が行ってもよい。すなわち、更新情報を取得する前において、更新対象の更新要否判定が行われてもよい。
【００８４】
（移動通信システムの動作）
以下において、第１実施形態に係る移動通信システムの動作について、図面を参照しながら説明する。図９は、第１実施形態に係る移動通信システム１００の動作を示すシーケンス図である。なお、図９において、特定セル用無線基地局は、例えば、ＨＮＢ１１０Ｂ又はＨｅＮＢ２１０Ｂである。アクセスノードは、例えば、アクセスノード３１０又はアクセスノード４１０である。セキュリティゲートウェイ装置は、例えば、ＨｅＮＢ−ＧＷ２２０Ｂ又はＨＮＢ−ＧＷ１２０Ｂである。なお、オペレーション装置は、オペレーション装置３０であることは勿論である。
【００８５】
図９に示すように、ステップ１０において、特定セル用無線基地局は、アクセスノードに対して、認証情報（例えば、ＩＤやパスワード）を送信する。
【００８６】
ステップ２０において、アクセスノードは、認証情報に基づいて、特定セル用無線基地局が正規であることを認証する。ここでは、特定セル用無線基地局が正規であると認証されたものとして説明を続ける。
【００８７】
ステップ３０において、アクセスノードは、特定セル用無線基地局に対して、接続情報（例えば、ＩＰアドレスなど）を送信する。
【００８８】
ステップ４０において、特定セル用無線基地局及びセキュリティゲートウェイ装置は、認証情報（例えば、プリシェアードキー）を交換する。また、特定セル用無線基地局及びセキュリティゲートウェイ装置は、互いに相手が正規であることを認証する。ここでは、特定セル用無線基地局及びセキュリティゲートウェイ装置の双方が正規であると認証されたものとして説明を続ける。
【００８９】
ステップ５０において、特定セル用無線基地局及びセキュリティゲートウェイ装置は、セキュリティが確保されたコネクション（例えば、ＶＰＮコネクション）を設定するために必要な情報を交換する。これによって、特定セル用無線基地局とセキュリティゲートウェイ装置との間に、セキュリティが確保されたコネクション（例えば、ＶＰＮコネクション）が設定される。
【００９０】
ステップ６０において、特定セル用無線基地局は、オペレーション装置に対して、セキュリティが確保されたコネクション（例えば、ＶＰＮコネクション）を介して、更新対象の更新を要求する更新要求を送信する。
【００９１】
ステップ７０において、オペレーション装置は、更新要求に含まれる情報に基づいて、更新対象を更新するための更新情報を取得する。
【００９２】
ステップ８０において、オペレーション装置は、特定セル用無線基地局に対して、セキュリティが確保されたコネクション（例えば、ＶＰＮコネクション）を介して、更新対象を更新するための更新情報を送信する。
【００９３】
ステップ９０において、特定セル用無線基地局は、更新対象を更新するタイミングとなるまで待機する。
【００９４】
ステップ１００において、特定セル用無線基地局は、更新情報に基づいて、更新対象を更新する。例えば、特定セル用無線基地局は、特定セルにおけるトラフィック量が所定閾値以下である場合に、オペレーション装置から受信する更新情報に基づいて、更新対象を更新する。
【００９５】
なお、オペレーション装置は、特定セルにおけるトラフィック量が所定閾値以下である場合に、更新情報を送信してもよい。このようなケースでは、特定セル用無線基地局は、ステップ９０の処理を省略して、更新情報を受信したタイミングで、更新対象を更新してもよい。
【００９６】
（作用及び効果）
第１実施形態では、特定セル用無線基地局２０は、セキュリティが確保されたコネクションを介して、更新対象の識別情報を少なくとも含む更新要求をオペレーション装置３０に送信する。オペレーション装置３０は、更新要求に応じて、セキュリティが確保されたコネクションを介して、更新情報を特定セル用無線基地局２０に提供する。
【００９７】
従って、通信事業者が管理していない非管理ネットワークに特定セル用無線基地局２０が設けられる場合であっても、特定セル用無線基地局２０に設けられる更新対象を安全かつ簡易に更新することができる。
【００９８】
第１実施形態では、特定セル用無線基地局２０は、特定セルにおけるトラフィック量が所定閾値以下である場合に、オペレーション装置３０から受信する更新情報に基づいて、更新対象を更新する。
【００９９】
従って、更新情報を更新するために特定セル用無線基地局２０の再起動を行うケースにおいて、特定セルとＵＥ１０との間の通信断などの悪影響を軽減することができる。
【０１００】
［変更例１］
以下において、第１実施形態の変更例１について、図面を参照しながら説明する。以下においては、第１実施形態との相違点について主として説明する。
【０１０１】
具体的には、第１実施形態では、ＨＮＢ１１０Ｂの上位ノードは、ＨＮＢ−ＧＷ１２０Ｂである。一方で、変更例１では、図１０に示すように、ＨＮＢ１１０Ｂの上位ノードは、ＲＮＣ１２０Ａである。
【０１０２】
変更例１では、ＲＮＣ１２０Ａは、ＨＮＢ−ＧＷ１２０Ｂに代わって、ＨＮＢ１１０Ｂを管理する。すなわち、ＲＮＣ１２０Ａは、ＲＮＣ１２０Ａの配下に属する装置に対して、ＨＮＢ−ＧＷ１２０Ｂと同様の機能を提供する。
【０１０３】
また、第１実施形態では、ＨｅＮＢ２１０Ｂの上位ノードは、ＨｅＮＢ−ＧＷ２２０Ｂである。一方で、変更例１では、図１０に示すように、ＨｅＮＢ２１０Ｂの上位ノードは、ＭＭＥ２３０である。
【０１０４】
変更例１では、ＨｅＮＢ２１０Ｂは、ＨｅＮＢ−ＧＷ２２０Ｂに代わって、ＨｅＮＢ２１０Ｂの配下に属する装置に対して、ＨｅＮＢ−ＧＷ２２０Ｂと同様の機能を提供する。
【０１０５】
なお、ＨＮＢ−ＧＷ１２０Ｂのみが省略されてもよく、ＨｅＮＢ−ＧＷ２２０Ｂのみが省略されてもよい。
【０１０６】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１０７】
上述した実施形態において、オペレーション装置３０に設けられた構成（通信部３１、記憶部３２、取得部３３及び提供部３４）が一つの装置に設けられるケースについて例示した。しかしながら、実施形態は、これに限定されるものではない。すなわち、通信部３１、記憶部３２、取得部３３及び提供部３４は、それぞれ、別々な装置に設けられていてもよい。例えば、記憶部３２は、コアネットワーク５０に設けられたサーバに設けられていてもよい。
【０１０８】
各装置間の通信では、ＲＡＮＡＰ（Ｒａｄｉｏ  Ａｃｃｅｓｓ  Ｎｅｔｗｏｒｋ  Ａｐｐｌｉｃａｔｉｏｎ  Ｐａｒｔ）、ＮＢＡＰ（Ｎｏｄｅ  Ｂ  Ａｐｐｌｉｃａｔｉｏｎ  Ｐａｒｔ）、ＲＮＳＡＰ（Ｒａｄｉｏ  Ｎｅｔｗｏｒｋ  Ｓｕｂｓｙｓｔｅｍ  Ａｐｐｌｉｃａｔｉｏｎ  Ｐａｒｔ）、ＨＮＢＡＰ（Ｈｏｍｅ  Ｎｏｄｅ  Ｂ  Ａｐｐｌｉｃａｔｉｏｎ  Ｐａｒｔ）などの制御信号が用いられる。
【０１０９】
なお、特定セル用無線基地局２０又はオペレーション装置３０の動作は、ハードウェアによって実施されてもよいし、プロセッサによって実行されるソフトウェアモジュールによって実施されてもよいし、両者の組み合わせによって実施されてもよい。
【０１１０】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１１１】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、特定セル用無線基地局２０又はオペレーション装置３０内に設けられていてもよい。また、かかる記憶媒体及びプロセッサは、ディスクリートコンポーネントとして特定セル用無線基地局２０又はオペレーション装置３０内に設けられていてもよい。
【符号の説明】
【０１１２】
１０…通信端末装置、２０…特定セル用無線基地局、２１…通信部、２２…記憶部、２３…更新部、３０…オペレーション装置、３１…通信部、３２…記憶部、３３…取得部、３４…提供部、５０…コアネットワーク、１００…移動通信システム、１１０Ａ…ＮＢ、１１０Ｂ…ＨＮＢ、１１１Ａ…マクロセル、１１１Ｂ…特定セル、１２０Ａ…ＲＮＣ、１２０Ｂ…ＨＮＢ−ＧＷ、１３０…ＳＧＳＮ、２１０Ａ…ｅＮＢ、２１０Ｂ…ＨｅＮＢ、２１１Ａ…マクロセル、２１１Ｂ…特定セル、２２０Ｂ…ＨｅＮＢ−ＧＷ、２３０…ＭＭＥ、３１０…アクセスノード、４１０…アクセスノード
【図１】
2011160139.tif 000003
【図２】
2011160139.tif 000004
【図３】
2011160139.tif 000005
【図４】
2011160139.tif 000006
【図５】
2011160139.tif 000007
【図６】
2011160139.tif 000008
【図７】
2011160139.tif 000009
【図８】
2011160139.tif 000010
【図９】
2011160139.tif 000011
【図１０】
2011160139.tif 000012